(57)【特許請求の範囲】
【請求項１】
ホーム画面を表示する表示部と、
他の端末装置又は自端末装置のホーム画面の画面構成情報の記録データに含まれる各アプリケーションのアイコンのホーム画面における位置を示すアイコン位置情報に基づいて、自端末装置にインストールされていないアプリケーションである未インストールアプリケーションのアイコンを、当該未インストールアプリケーションに対応付けられている前記アイコン位置情報で示される位置に配置したホーム画面を構成するホーム画面構成部と、を備え、
前記ホーム画面構成部は、前記記録データに前記アイコン位置情報が存在するアイコンであって自端末装置で起動することが制限されたアプリケーションのアイコンである第１のアイコンを対応付けた第３のアイコンをさらに配置したホーム画面を構成し、
前記第３のアイコンが指定されたことを示すアイコン指定信号に基づいて、前記第１のアイコンを前記表示部に表示させる表示制御部をさらに備える、
端末装置。
【請求項２】
前記ホーム画面構成部は、自端末装置にインストールされているアプリケーションであるインストール済みアプリケーションのアイコンであって前記記録データに前記アイコン位置情報が存在しないアイコンである第２のアイコンを対応付けた前記第３のアイコンを配置したホーム画面を構成し、
前記表示制御部は、前記第３のアイコンが指定されたことを示すアイコン指定信号に基づいて、前記第１のアイコンと前記第２のアイコンを前記表示部に表示させる、
請求項１に記載の端末装置。
【請求項３】
端末装置の表示部に表示されるホーム画面を構成する画面構成方法において、
前記端末装置又は前記端末装置以外の他の端末装置のホーム画面の画面構成情報の記録データに含まれる各アプリケーションのアイコンのホーム画面における位置を示すアイコン位置情報に基づいて、前記端末装置にインストールされていないアプリケーションである未インストールアプリケーションのアイコンを、当該未インストールアプリケーションに対応付けられている前記アイコン位置情報で示される位置に配置したホーム画面を構成するホーム画面構成ステップ、を含み、
前記ホーム画面構成ステップは、前記記録データに前記アイコン位置情報が存在するアイコンであって自端末装置で起動することが制限されたアプリケーションのアイコンである第１のアイコンを対応付けた第３のアイコンをさらに配置したホーム画面を構成し、
前記第３のアイコンが指定されたことを示すアイコン指定信号に基づいて、前記第１のアイコンを前記表示部に表示させる表示制御ステップをさらに含む、
画面構成方法。
【請求項４】
前記ホーム画面構成ステップは、自端末装置にインストールされているアプリケーションであるインストール済みアプリケーションのアイコンであって前記記録データに前記アイコン位置情報が存在しないアイコンである第２のアイコンを対応付けた前記第３のアイコンを配置したホーム画面を構成し、
前記表示制御ステップは、前記第３のアイコンが指定されたことを示すアイコン指定信号に基づいて、前記第１のアイコンと前記第２のアイコンを前記表示部に表示させる、
請求項３に記載の画面構成方法。
【請求項５】
端末装置の表示部に表示されるホーム画面を構成する処理を行うためのコンピュータプログラムであって、
前記端末装置又は前記端末装置以外の他の端末装置のホーム画面の画面構成情報の記録データに含まれる各アプリケーションのアイコンのホーム画面における位置を示すアイコン位置情報に基づいて、前記端末装置にインストールされていないアプリケーションである未インストールアプリケーションのアイコンを、当該未インストールアプリケーションに対応付けられている前記アイコン位置情報で示される位置に配置したホーム画面を構成するホーム画面構成機能、をコンピュータに実現させるためのコンピュータプログラムであり、
前記ホーム画面構成機能は、前記記録データに前記アイコン位置情報が存在するアイコンであって自端末装置で起動することが制限されたアプリケーションのアイコンである第１のアイコンを対応付けた第３のアイコンをさらに配置したホーム画面を構成し、
前記第３のアイコンが指定されたことを示すアイコン指定信号に基づいて、前記第１のアイコンを前記表示部に表示させる表示制御機能をさらにコンピュータに実現させるためのコンピュータプログラム。
【請求項６】
前記ホーム画面構成機能は、自端末装置にインストールされているアプリケーションであるインストール済みアプリケーションのアイコンであって前記記録データに前記アイコン位置情報が存在しないアイコンである第２のアイコンを対応付けた前記第３のアイコンを配置したホーム画面を構成し、
前記表示制御機能は、前記第３のアイコンが指定されたことを示すアイコン指定信号に基づいて、前記第１のアイコンと前記第２のアイコンを前記表示部に表示させる、
請求項５に記載のコンピュータプログラム。
【発明の詳細な説明】
【技術分野】
【０００１】
本発明は、端末装置、画面構成方法、及びコンピュータプログラムに関する。
【背景技術】
【０００２】
従来、コンピュータシステムの復元技術として、例えば特許文献１が知られている。この従来技術では、販売者側のコンピュータシステムがユーザに販売したコンピュータシステムのシステム構成を管理しておくことにより、復元時にユーザのコンピュータシステムのシステム構成を認識し、それに対応するソフトウェアを提供している。
【先行技術文献】
【特許文献】
【０００３】
【特許文献１】特開２００８−２６９６３４号公報
【発明の概要】
【発明が解決しようとする課題】
【０００４】
しかし、上述した従来の復元技術では、スマートフォン等の端末装置のホーム画面の復元に対応できない可能性があった。例えば、利用者が所謂機種変更により端末装置を変更する場合に、機種変更後の端末装置に表示されるホーム画面が機種変更前の端末装置に表示されていたホーム画面とは見た目にかなり異なる可能性があった。
【０００５】
本発明は、このような事情を考慮してなされたものであり、端末装置に表示されるホーム画面を復元する際に復元感の向上を図ることができる端末装置、画面構成方法、及びコンピュータプログラムを提供することを課題とする。
【課題を解決するための手段】
【０００６】
（１）本発明の一態様は、ホーム画面を表示する表示部と、他の端末装置又は自端末装置のホーム画面の画面構成情報の記録データに含まれる各アプリケーションのアイコンのホーム画面における位置を示すアイコン位置情報に基づいて、自端末装置にインストールされていないアプリケーションである未インストールアプリケーションのアイコンを、当該未インストールアプリケーションに対応付けられている前記アイコン位置情報で示される位置に配置したホーム画面を構成するホーム画面構成部と、を備え、前記ホーム画面構成部は、前記記録データに前記アイコン位置情報が存在するアイコンであって自端末装置で起動することが制限されたアプリケーションのアイコンである第１のアイコンを対応付けた第３のアイコンをさらに配置したホーム画面を構成し、前記第３のアイコンが指定されたことを示すアイコン指定信号に基づいて、前記第１のアイコンを前記表示部に表示させる表示制御部をさらに備える、端末装置である。
（２）本発明の一態様は、上記（１）の端末装置において、前記ホーム画面構成部は、自端末装置にインストールされているアプリケーションであるインストール済みアプリケーションのアイコンであって前記記録データに前記アイコン位置情報が存在しないアイコンである第２のアイコンを対応付けた前記第３のアイコンを配置したホーム画面を構成し、前記表示制御部は、前記第３のアイコンが指定されたことを示すアイコン指定信号に基づいて、前記第１のアイコンと前記第２のアイコンを前記表示部に表示させる、端末装置である。
【０００７】
（３）本発明の一態様は、端末装置の表示部に表示されるホーム画面を構成する画面構成方法において、前記端末装置又は前記端末装置以外の他の端末装置のホーム画面の画面構成情報の記録データに含まれる各アプリケーションのアイコンのホーム画面における位置を示すアイコン位置情報に基づいて、前記端末装置にインストールされていないアプリケーションである未インストールアプリケーションのアイコンを、当該未インストールアプリケーションに対応付けられている前記アイコン位置情報で示される位置に配置したホーム画面を構成するホーム画面構成ステップ、を含み、前記ホーム画面構成ステップは、前記記録データに前記アイコン位置情報が存在するアイコンであって自端末装置で起動することが制限されたアプリケーションのアイコンである第１のアイコンを対応付けた第３のアイコンをさらに配置したホーム画面を構成し、前記第３のアイコンが指定されたことを示すアイコン指定信号に基づいて、前記第１のアイコンを前記表示部に表示させる表示制御ステップをさらに含む、画面構成方法である。
（４）本発明の一態様は、前記ホーム画面構成ステップは、自端末装置にインストールされているアプリケーションであるインストール済みアプリケーションのアイコンであって前記記録データに前記アイコン位置情報が存在しないアイコンである第２のアイコンを対応付けた前記第３のアイコンを配置したホーム画面を構成し、前記表示制御ステップは、前記第３のアイコンが指定されたことを示すアイコン指定信号に基づいて、前記第１のアイコンと前記第２のアイコンを前記表示部に表示させる、画面構成方法である。
【０００８】
（５）本発明の一態様は、端末装置の表示部に表示されるホーム画面を構成する処理を行うためのコンピュータプログラムであって、前記端末装置又は前記端末装置以外の他の端末装置のホーム画面の画面構成情報の記録データに含まれる各アプリケーションのアイコンのホーム画面における位置を示すアイコン位置情報に基づいて、前記端末装置にインストールされていないアプリケーションである未インストールアプリケーションのアイコンを、当該未インストールアプリケーションに対応付けられている前記アイコン位置情報で示される位置に配置したホーム画面を構成するホーム画面構成機能、をコンピュータに実現させるためのコンピュータプログラムであり、前記ホーム画面構成機能は、前記記録データに前記アイコン位置情報が存在するアイコンであって自端末装置で起動することが制限されたアプリケーションのアイコンである第１のアイコンを対応付けた第３のアイコンをさらに配置したホーム画面を構成し、前記第３のアイコンが指定されたことを示すアイコン指定信号に基づいて、前記第１のアイコンを前記表示部に表示させる表示制御機能をさらにコンピュータに実現させるためのコンピュータプログラムである。
（６）本発明の一態様は、前記ホーム画面構成機能は、自端末装置にインストールされているアプリケーションであるインストール済みアプリケーションのアイコンであって前記記録データに前記アイコン位置情報が存在しないアイコンである第２のアイコンを対応付けた前記第３のアイコンを配置したホーム画面を構成し、前記表示制御機能は、前記第３のアイコンが指定されたことを示すアイコン指定信号に基づいて、前記第１のアイコンと前記第２のアイコンを前記表示部に表示させる、コンピュータプログラムである。
【発明の効果】
【０００９】
本発明によれば、端末装置に表示されるホーム画面を復元する際に復元感の向上を図る効果が得られる。
【図面の簡単な説明】
【００１０】
【図１】本発明の一実施形態に係る通信システムの例を示す構成図である。
【図２】本発明の一実施形態に係る端末装置１を示す構成図である。
【図３】図２に示す制御部１１の機能構成図である。
【図４】図２に示す記憶部１２の記憶構成例を示す図である。
【図５】本発明の一実施形態に係るホーム画面復元方法のフローチャートである。
【図６】本発明の一実施形態に係るホーム画面構成情報記録データ４０の構成例を示す図表である。
【図７】本発明の一実施形態に係るホーム画面構成情報記録データ４０を説明するための図である。
【図８】本発明の一実施形態に係るホーム画面構成方法のフローチャートである。
【図９】本発明の一実施形態に係るインストール済みアプリケーション情報ファイル３４ａの構成例を示す図である。
【図１０】本発明の一実施形態に係る未インストールアプリケーション制限情報ファイル３４ｂの構成例を示す図である。
【図１１】本発明の一実施形態に係る未インストールアプリケーション取得先情報ファイル３４ｃの構成例を示す図である。
【図１２】本発明の一実施形態に係るホーム画面の復元の例の説明図である。
【発明を実施するための形態】
【００１１】
以下、図面を参照し、本発明の実施形態について説明する。
図１は、本発明の一実施形態に係る通信システムの例を示す構成図である。図１において、端末装置１は、無線通信ネットワーク２を介して他の装置と通信を行う。端末装置１は、無線通信ネットワーク２を介して、無線通信ネットワーク２に接続される利用者情報管理サーバ３及び第１アプリケーション提供サーバ４にアクセスする。無線通信ネットワーク２は通信回線を介してインターネット６と接続する。端末装置１は、無線通信ネットワーク２を介して、インターネット６に接続される第２アプリケーション提供サーバ５にアクセスする。
【００１２】
なお、利用者情報管理サーバ３、第１アプリケーション提供サーバ４及び第２アプリケーション提供サーバ５は、端末装置１から無線通信ネットワーク２を介してアクセスすることができればよく、上記の図１の構成に限定されない。例えば、利用者情報管理サーバ３、第１アプリケーション提供サーバ４及び第２アプリケーション提供サーバ５のうち、全てが無線通信ネットワーク２に接続されていてもよく、又は、全てがインターネット６に接続されていてもよく、又は、いずれか一つ若しくは二つが無線通信ネットワーク２に接続され残りがインターネット６に接続されていてもよい。
【００１３】
図２は、本発明の一実施形態に係る端末装置１を示す構成図である。図１において、端末装置１は、制御部１１と記憶部１２と通信部１３と操作部１４と表示部１５と接続部１６を備える。これら各部はデータを交換できるように構成される。制御部１１は、メモリ及びＣＰＵ（中央処理装置）を備え、制御部１１の機能を実現するためのコンピュータプログラムをＣＰＵが実行することによりその機能を実現させる。
【００１４】
記憶部１２は、制御部１１のＣＰＵで実行されるコンピュータプログラム及び各種のデータを記憶する。記憶部１２としては、例えば、ハードディスク装置、フラッシュメモリ等の不揮発性のメモリ、ＤＲＡＭ（Dynamic Random Access Memory）等の揮発性のメモリなどが利用可能である。
【００１５】
通信部１３は、無線通信ネットワーク２を介して、端末装置１の外部の装置と通信を行う。操作部１４は、入力デバイスから構成され、利用者の操作に応じたデータ入力を行う。入力デバイスとして、例えば、キーボード、テンキー、マウス、操作ボタンなどが挙げられる。表示部１５は、液晶表示装置等の表示デバイスから構成され、データ表示を行う。なお、表示部１５として、データ入力とデータ表示の両方が可能なタッチパネルを備えてもよい。
【００１６】
接続部１６は、記録媒体１７と接続する。接続部１６は、記録媒体１７を着脱可能に構成される。接続部１６は、自己に接続された記録媒体１７からデータを読み出す。また、接続部１６は、自己に接続された記録媒体１７に対してデータを書き込む。記録媒体１７として、例えば、ＳＤカード等の着脱可能なメモリカードなどが利用可能である。
【００１７】
端末装置１としては、例えば、スマートフォン等の携帯通信端末装置、タブレット型のコンピュータ（タブレットＰＣ）等の携帯型のパーソナルコンピュータなどであってもよい。
【００１８】
図３は、図２に示す制御部１１の機能構成図である。図３において、制御部１１は、ホーム画面復元部２０、記録データ記憶制御部２３、アプリケーション起動部２４、アプリケーションインストール部２５、及び表示制御部２６などを備える。ホーム画面復元部２０は、ホーム画面構成部２１及び記録データ取得部２２を備える。これら制御部１１の機能は、記憶部１２に記憶されているコンピュータプログラムを制御部１１のＣＰＵが実行することにより実現される。
【００１９】
図４は、図２に示す記憶部１２の記憶構成例を示す図である。図４において、記憶部１２は、ＯＳ（Operating System：オペレーティングシステム）３１と制御プログラム３２とアプリケーションプログラム３３とデータファイル３４を記憶する。ＯＳ３１と制御プログラム３２とアプリケーションプログラム３３は、制御部１１のＣＰＵで実行されるコンピュータプログラムである。アプリケーションプログラム３３として、ホーム画面復元アプリケーション３３ａ及び記録データ記憶制御アプリケーション３３ｂなどがある。また、アプリケーションプログラム３３として、例えば、ＳＮＳ（Social Networking Service）アプリケーション、電子メールアプリケーション、Ｗｅｂ（ウェブ）ブラウザアプリケーション、画像管理アプリケーション、ゲームアプリケーションなどのコンピュータプログラムが挙げられる。
【００２０】
データファイル３４は複数あってもよい。データファイル３４としては、例えば、テキストデータファイル、音声データファイル、画像（静止画像又は動画像）データファイル、個人データファイル、ＵＲＬ（Uniform Resource Locator）データファイルなどが挙げられる。
【００２１】
次に、図５等を参照して、本実施形態に係る端末装置１の動作を説明する。
【００２２】
はじめに図５を参照して、本実施形態の端末装置１のホーム画面復元に係る動作の全体の流れを説明する。図５は、本実施形態に係るホーム画面復元方法のフローチャートである。
【００２３】
（ステップＳ１）アプリケーション起動部２４が、ホーム画面復元アプリケーション３３ａを起動する。ホーム画面復元アプリケーション３３ａが起動されて制御部１１のＣＰＵにより実行されることにより、ホーム画面復元部２０の機能が実現される。アプリケーション起動部２４がホーム画面復元アプリケーション３３ａを起動するタイミングは、予め定めることができる。例えば、アプリケーション起動部２４は、端末装置１の初期設定が行われるタイミングで、ホーム画面復元アプリケーション３３ａを起動してもよい。端末装置１の初期設定は、利用者が端末装置１を使い始める時や端末装置１がリセットされた時などに実行される。なお、アプリケーション起動部２４は、利用者の所定の操作に応じて、ホーム画面復元アプリケーション３３ａを起動してもよい。
【００２４】
（ステップＳ２）記録データ取得部２２が、図６に例示されるホーム画面構成情報記録データ４０を取得する。
【００２５】
ここで、図６及び図７を参照してホーム画面構成情報記録データ４０を説明する。図６は、本実施形態に係るホーム画面構成情報記録データ４０の構成例を示す図表である。図７は、本実施形態に係るホーム画面構成情報記録データ４０を説明するための図である。
ホーム画面構成情報記録データ４０は、端末装置１以外の他の端末装置又は端末装置１のホーム画面の画面構成情報の記録データである。
【００２６】
図７において、ホーム画面の画面構成情報が記録される端末装置は、表示画面１００を備える。表示画面１００は、例えばタッチパネルの表示画面である。ホーム画面の画面構成情報が記録される端末装置のことを、説明の便宜上、元端末装置と称する。元端末装置の表示画面１００には、ホーム画面１１０が表示される。ホーム画面１１０は、一つ又は複数の画面から構成される。ホーム画面１１０が複数の画面から構成される場合、ホーム画面１１０を構成する各画面は、画面スクロールによって、表示画面１００に表示される。ホーム画面１１０にはアイコンＧが配置される。図７の例では、ホーム画面１１０の一つの画面には最大１６個のアイコンＧが配置される。
【００２７】
元端末装置のホーム画面構成情報記録データ４０は、元端末装置の各アプリケーションのアイコンＧのホーム画面１１０における位置を示すアイコン位置情報を含む。図６において、ホーム画面構成情報記録データ４０は、アイコンＧ毎に、アイコンＧのアイコン位置情報と、アイコンＧの画像データ（アイコン画像データ）と、アイコンＧに対応付けられているアプリケーションの識別情報（アプリケーションＩＤ）を有する。
【００２８】
元端末装置のホーム画面構成情報記録データ４０は、自動的に又は元端末装置の利用者の所定の操作に応じて記録される。端末装置１においては、記録データ記憶制御部２３が、端末装置１のホーム画面の画面構成情報を記録する機能を有する。記録データ記憶制御部２３は、所定のタイミングで端末装置１のホーム画面の画面構成情報を記録する。例えば、記録データ記憶制御部２３は、定期的に端末装置１のホーム画面の画面構成情報を記録してもよい。なお、記録データ記憶制御部２３は、利用者の所定の操作に応じて、端末装置１のホーム画面の画面構成情報を記録してもよい。
【００２９】
端末装置１は、元端末装置のホーム画面の画面構成情報が記録されたホーム画面構成情報記録データ４０を取得する。元端末装置は、例えば、端末装置１の利用者が以前に使用していた端末装置であり、例えば、利用者が端末装置１に機種変更するまで使用していた機種変更前の端末装置が挙げられる。又は、元端末装置は、端末装置１の利用者以外の他者が使用している若しくは使用していた端末装置である。端末装置１の利用者以外の他者として、例えば、端末装置１の利用者の家族や友人などが挙げられる。又は、元端末装置は、利用者が使用している端末装置１である。なお、元端末装置は故障した利用者の端末装置であって、端末装置１は故障修理中に貸与される端末装置であってもよい。
【００３０】
元端末装置のホーム画面構成情報記録データ４０は、利用者情報管理サーバ３に格納されたり、又は、記録媒体１７に格納されたりする。利用者情報管理サーバ３は、利用者識別情報（利用者ＩＤ）に関連付けてホーム画面構成情報記録データ４０を格納する。端末装置１の記録データ取得部２２は、利用者情報管理サーバ３からホーム画面構成情報記録データ４０を取得する場合、利用者情報管理サーバ３へ利用者ＩＤを送信し、該利用者ＩＤに関連付けられているホーム画面構成情報記録データ４０を利用者情報管理サーバ３から受信する。記録データ取得部２２が利用者情報管理サーバ３へ送信する利用者ＩＤは、予め、端末装置１に設定されたり、又は、記録媒体１７に格納されたりする。なお、記録データ取得部２２が利用者情報管理サーバ３へ送信する利用者ＩＤは、ホーム画面構成情報記録データ４０を取得する際に、利用者が入力してもよい。
【００３１】
また、記録データ取得部２２は、端末装置１の接続部１６に接続された記録媒体１７からホーム画面構成情報記録データ４０を取得する場合、接続部１６により該記録媒体１７からホーム画面構成情報記録データ４０を読み出す。
【００３２】
説明を図５に戻す。
（ステップＳ３）ホーム画面構成部２１は、記録データ取得部２２が取得したホーム画面構成情報記録データ４０を使用して、端末装置１のホーム画面を構成する。ステップＳ３のホーム画面構成方法については後述する。
【００３３】
（ステップＳ４）ステップＳ３の結果、エラーが発生しなかった場合にはステップＳ５に進む。一方、ステップＳ３の結果、エラーが発生した場合にはステップＳ６に進む。
【００３４】
（ステップＳ５）端末装置１の表示部１５は、ホーム画面構成部２１が構成したホーム画面を自己の表示画面に表示する。
【００３５】
（ステップＳ６）端末装置１の表示部１５は、エラーメッセージを自己の表示画面に表示する。エラーメッセージは、利用者の所定の操作に応じて表示画面から消去される。又は、エラーメッセージは、一定期間の表示後に、自動的に表示画面から消去される。ステップＳ６の後にステップＳ５に進む。
【００３６】
次に図８を参照して、上記の図７のステップＳ３のホーム画面構成方法を説明する。図８は、本実施形態に係るホーム画面構成方法のフローチャートである。本ホーム画面構成方法の説明において、ホーム画面構成情報記録データ４０とは、上記の図５のステップＳ２で記録データ取得部２２が取得したホーム画面構成情報記録データ４０のことである。
【００３７】
（ステップＳ１１）ホーム画面構成部２１は、ホーム画面構成情報記録データ４０に含まれるアプリケーションＩＤの中に、端末装置１＿未インストールアプリケーション＿アプリケーションＩＤが有るかを判断する。端末装置１＿未インストールアプリケーションとは、端末装置１にインストールされていないアプリケーションのことである。端末装置１＿未インストールアプリケーション＿アプリケーションＩＤとは、端末装置１＿未インストールアプリケーションのアプリケーションＩＤのことである。
【００３８】
本実施形態では、記憶部１２に格納されるデータファイル３４として、図９に例示されるインストール済みアプリケーション情報ファイル３４ａを備える。インストール済みアプリケーション情報ファイル３４ａは、端末装置１＿インストール済みアプリケーション＿アプリケーションＩＤの全ての一覧の情報を有する。端末装置１＿インストール済みアプリケーションとは、端末装置１にインストールされているアプリケーションのことである。端末装置１＿インストール済みアプリケーション＿アプリケーションＩＤとは、端末装置１＿インストール済みアプリケーションのアプリケーションＩＤのことである。
【００３９】
アプリケーション起動部２４は、端末装置１＿インストール済みアプリケーションのアイコンが指定されたことを示すアイコン指定信号に基づいて、該アイコン指定信号で示される指定されたアイコンに対応する端末装置１＿インストール済みアプリケーションを起動する。アプリケーション起動部２４は、アイコン指定信号で示される指定されたアイコンのアプリケーションＩＤがインストール済みアプリケーション情報ファイル３４ａに含まれる場合に、当該アプリケーションＩＤの端末装置１＿インストール済みアプリケーションを起動する。端末装置１＿インストール済みアプリケーションのアイコンが指定されたことを示すアイコン指定信号は、利用者が該アイコンを指定する操作に応じて発生される。又は、端末装置１＿インストール済みアプリケーションのアイコンが指定されたことを示すアイコン指定信号は、端末装置１内部で自動的に発生されてもよい。
【００４０】
ホーム画面構成部２１は、ホーム画面構成情報記録データ４０に含まれるアプリケーションＩＤと、インストール済みアプリケーション情報ファイル３４ａに含まれるアプリケーションＩＤを比較する。ホーム画面構成部２１は、該比較の結果、ホーム画面構成情報記録データ４０の中に存在し且つインストール済みアプリケーション情報ファイル３４ａの中に存在しないアプリケーションＩＤが有る場合に、ホーム画面構成情報記録データ４０に含まれるアプリケーションＩＤの中に端末装置１＿未インストールアプリケーション＿アプリケーションＩＤが有ると判断する。
【００４１】
（ステップＳ１２）ステップＳ１１の判断の結果、ホーム画面構成情報記録データ４０に含まれるアプリケーションＩＤの中に、端末装置１＿未インストールアプリケーション＿アプリケーションＩＤが有る場合には、ステップＳ１３に進む。一方、ステップＳ１１の判断の結果、ホーム画面構成情報記録データ４０に含まれるアプリケーションＩＤの中に、端末装置１＿未インストールアプリケーション＿アプリケーションＩＤが無い場合には、ステップＳ１４に進む。
【００４２】
（ステップＳ１３）ホーム画面構成部２１は、ホーム画面構成情報記録データ４０の中に存在し且つインストール済みアプリケーション情報ファイル３４ａの中に存在しないアプリケーションＩＤに対応する端末装置１＿未インストールアプリケーションの対処を行う。
【００４３】
ここで、ステップＳ１３の対処方法の例を説明する。この対処方法の例の説明において、対象アプリケーションＩＤとは、ホーム画面構成情報記録データ４０の中に存在し且つインストール済みアプリケーション情報ファイル３４ａの中に存在しないアプリケーションＩＤのことである。また、対象未インストールアプリケーションとは、対象アプリケーションＩＤに対応する端末装置１＿未インストールアプリケーションのことである。
【００４４】
ホーム画面構成部２１は、第１アプリケーション提供サーバ４に対して、対象未インストールアプリケーションの問合せを行う。第１アプリケーション提供サーバ４は、アプリケーションの提供を行うサーバである。第１アプリケーション提供サーバ４は、自己が供給するアプリケーションの情報を格納する。第１アプリケーション提供サーバ４は、アプリケーションの問合せに応じて、問合せのアプリケーションＩＤに関連付けられて格納されているアプリケーション情報を返答する。
【００４５】
あるアプリケーションＩＤに関連付けられているアプリケーション情報は、該アプリケーションＩＤのアプリケーションについての情報であって、供給可否情報を含む。供給可否情報は、アプリケーションの供給が可能か否かを示す。供給可否情報のうち、アプリケーションの供給ができないことを示す供給否情報の例を以下に示す。
【００４６】
（供給否情報の例１）
供給否情報の例１は、第１アプリケーション提供サーバ４が当該アプリケーションを提供していないために、供給できないことを示す。
【００４７】
（供給否情報の例２）
供給否情報の例２は、問合せ元の端末装置１では当該アプリケーションが技術的に動作しないために、供給できないことを示す。アプリケーションが技術的に動作しないことの例として、端末装置１のハードウェアのスペックが当該アプリケーションに適合しないことが挙げられる。
【００４８】
（供給否情報の例３）
供給否情報の例３は、問合せ元の端末装置１では、当該アプリケーションが技術的には動作するが、当該アプリケーションの供給が制限されているために、供給できないことを示す。アプリケーションの供給が制限されていることの例として、あるＯＳに対しては当該アプリケーションの供給が許可されているが、該ＯＳとは異なる他のＯＳに対しては当該アプリケーションの供給が許可されていないことが挙げられる。アプリケーションの供給が制限されていることの他の例として、当該アプリケーションの使用には使用権が必要であり、問合せ元の端末装置１又は利用者が当該アプリケーションの使用権を有していないことが挙げられる。アプリケーションの使用権として、例えば、アプリケーションの使用料の前払い又は後払いの契約完了により付与される使用権が挙げられる。
【００４９】
（供給否情報の例４）
供給可否情報の例４は、問合せ元の端末装置１では当該アプリケーションが動作しないように、当該アプリケーションに対して制限がされているために、供給できないことを示す。この例として、特定のメーカの製品のみで動作するように、アプリケーションに対して制限がされていることが挙げられる。例えば、Ａ社製の端末装置では動作するが、Ａ社以外の他社製の端末装置では動作しないことが挙げられる。
以上が供給否情報の例の説明である。
【００５０】
ホーム画面構成部２１は、対象アプリケーションＩＤ等の問合せ情報を第１アプリケーション提供サーバ４へ送信し、第１アプリケーション提供サーバ４から対象未インストールアプリケーションのアプリケーション情報を受信する。ホーム画面構成部２１は、該受信したアプリケーション情報の供給可否情報に基づいて、対象未インストールアプリケーションの対処を行う。以下に、対処方法の例を説明する。
【００５１】
（対処方法の例１）
対処方法の例１は、対象未インストールアプリケーションを自動的に取得する例である。ホーム画面構成部２１は、第１アプリケーション提供サーバ４から受信したアプリケーション情報の供給可否情報が対象未インストールアプリケーションの供給可能を示す場合に、該対象未インストールアプリケーションを第１アプリケーション提供サーバ４から取得する。アプリケーションインストール部２５は、該取得された対象未インストールアプリケーションのインストール処理を実行する。
【００５２】
このインストール処理の実行方法の例として、ホーム画面構成部２１がアイコン指定信号を発生する。このアイコン指定信号は、対象未インストールアプリケーションのアイコンが指定されたことを示す。アプリケーションインストール部２５は、該アイコン指定信号に基づいて、対象未インストールアプリケーションのインストール処理を実行する。対象未インストールアプリケーションのアイコンが指定されたことを示すアイコン指定信号は、利用者が該アイコンを指定する操作に応じて発生される。又は、対象未インストールアプリケーションのアイコンが指定されたことを示すアイコン指定信号は、端末装置１内部で自動的に発生されてもよい。
【００５３】
アプリケーションインストール部２５は、該インストール処理の完了後に、インストール済みアプリケーション情報ファイル３４ａに対して、該対象未インストールアプリケーションのアプリケーションＩＤ（対象アプリケーションＩＤ）を追加する。
【００５４】
一方、ホーム画面構成部２１は、第１アプリケーション提供サーバ４から受信したアプリケーション情報の供給可否情報が供給否情報である場合、供給否情報の内容に応じた処理を実行する。
【００５５】
（供給否情報の例１の場合）
供給否情報の例１は、第１アプリケーション提供サーバ４が対象未インストールアプリケーションを提供していないことを示す。ホーム画面構成部２１は、第１アプリケーション提供サーバ４から受信した供給可否情報が供給否情報の例１である場合、第２アプリケーション提供サーバ５に対して、対象未インストールアプリケーションの取得要求を行う。アプリケーションインストール部２５は、ホーム画面構成部２１により第２アプリケーション提供サーバ５から対象未インストールアプリケーションを取得できた場合、該取得された対象未インストールアプリケーションのインストール処理を実行する。このインストール処理の実行方法は、上述の供給可否情報が対象未インストールアプリケーションの供給可能を示す場合と同様である。
【００５６】
アプリケーションインストール部２５は、該インストール処理の完了後に、インストール済みアプリケーション情報ファイル３４ａに対して、該対象未インストールアプリケーションのアプリケーションＩＤ（対象アプリケーションＩＤ）を追加する。一方、第２アプリケーション提供サーバ５から対象未インストールアプリケーションを取得できなかった場合には、ホーム画面構成部２１はエラーメッセージを出力する。このエラーメッセージは、上記の図５のステップＳ６で端末装置１の表示部１５により表示画面に表示される。
【００５７】
また、ホーム画面構成部２１は、第２アプリケーション提供サーバ５から取得できなかった対象未インストールアプリケーションに対して、制限有りフラグをオンにする。本実施形態では、記憶部１２に格納されるデータファイル３４として、図１０に例示される未インストールアプリケーション制限情報ファイル３４ｂを備える。未インストールアプリケーション制限情報ファイル３４ｂは、端末装置１＿未インストールアプリケーション＿アプリケーションＩＤと制限有りフラグの組を格納する。
【００５８】
ホーム画面構成部２１は、第２アプリケーション提供サーバ５から対象未インストールアプリケーションを取得できなかった場合、該対象未インストールアプリケーションのアプリケーションＩＤ（対象アプリケーションＩＤ）と制限有りフラグ「オン」の組を未インストールアプリケーション制限情報ファイル３４ｂに追加する。
【００５９】
（供給否情報の例２の場合）
供給否情報の例２は、対象未インストールアプリケーションが端末装置１では技術的に動作しないために、供給できないことを示す。ホーム画面構成部２１は、第１アプリケーション提供サーバ４から受信した供給可否情報が供給否情報の例２である場合、エラーメッセージを出力する。このエラーメッセージは、上記の図５のステップＳ６で端末装置１の表示部１５により表示画面に表示される。
【００６０】
また、ホーム画面構成部２１は、供給否情報の例２に該当する対象未インストールアプリケーションのアプリケーションＩＤ（対象アプリケーションＩＤ）と制限有りフラグ「オン」の組を未インストールアプリケーション制限情報ファイル３４ｂに追加する。
【００６１】
（供給否情報の例３の場合）
供給否情報の例３は、端末装置１では、対象未インストールアプリケーションが技術的には動作するが、対象未インストールアプリケーションの供給が制限されているために、供給できないことを示す。ホーム画面構成部２１は、第１アプリケーション提供サーバ４から受信した供給可否情報が供給否情報の例３である場合、エラーメッセージを出力する。このエラーメッセージは、上記の図５のステップＳ６で端末装置１の表示部１５により表示画面に表示される。供給否情報の例３の場合のエラーメッセージは、対象未インストールアプリケーションの供給が制限されている理由を示すメッセージであってもよい。例えば、対象未インストールアプリケーションの供給が制限されている理由が、アプリケーションの使用権が無いことである場合、その旨をエラーメッセージで報知してもよい。さらには、アプリケーションの使用権を取得する方法を報知してもよい。アプリケーションの使用権を取得する方法として、例えば、アプリケーションの使用料の前払い又は後払いの契約完了により付与される使用権に対して、アプリケーションの使用料の前払い又は後払いを促すエラーメッセージを出力してもよい。
【００６２】
また、ホーム画面構成部２１は、供給否情報の例３に該当する対象未インストールアプリケーションのアプリケーションＩＤ（対象アプリケーションＩＤ）と制限有りフラグ「オン」の組を未インストールアプリケーション制限情報ファイル３４ｂに追加する。
【００６３】
（供給否情報の例４の場合）
供給否情報の例４は、端末装置１では対象未インストールアプリケーションが動作しないように、対象未インストールアプリケーションに対して制限がされているために、供給できないことを示す。ホーム画面構成部２１は、第１アプリケーション提供サーバ４から受信した供給可否情報が供給否情報の例４である場合、エラーメッセージを出力する。このエラーメッセージは、上記の図５のステップＳ６で端末装置１の表示部１５により表示画面に表示される。
【００６４】
また、ホーム画面構成部２１は、供給否情報の例４に該当する対象未インストールアプリケーションのアプリケーションＩＤ（対象アプリケーションＩＤ）と制限有りフラグ「オン」の組を未インストールアプリケーション制限情報ファイル３４ｂに追加する。
【００６５】
以上が対処方法の例１の説明である。
【００６６】
（対処方法の例２）
対処方法の例２は、対象未インストールアプリケーションを手動的に取得する例である。ホーム画面構成部２１は、第１アプリケーション提供サーバ４から受信したアプリケーション情報の供給可否情報が対象未インストールアプリケーションの供給可能を示す場合に、該対象未インストールアプリケーションのアプリケーションＩＤ（対象アプリケーションＩＤ）に対してアプリケーション取得リンク先情報を関連付ける。アプリケーション取得リンク先情報は、アプリケーションの取得先に接続するための情報である。例えば、アプリケーション取得リンク先情報は、アプリケーションの取得先のＵＲＬ（Uniform Resource Locator）である。第１アプリケーション提供サーバ４から受信された供給可否情報が供給可能を示す場合、第１アプリケーション提供サーバ４における対象未インストールアプリケーションの取得先のＵＲＬがアプリケーション取得リンク先情報に使用される。
【００６７】
本実施形態では、記憶部１２に格納されるデータファイル３４として、図１１に例示される未インストールアプリケーション取得先情報ファイル３４ｃを備える。未インストールアプリケーション取得先情報ファイル３４ｃは、端末装置１＿未インストールアプリケーション＿アプリケーションＩＤとアプリケーション取得リンク先情報の組を格納する。
ホーム画面構成部２１は、第１アプリケーション提供サーバ４から受信された供給可否情報が供給可能を示す場合、対象未インストールアプリケーションのアプリケーションＩＤ（対象アプリケーションＩＤ）とアプリケーション取得リンク先情報の組を未インストールアプリケーション取得先情報ファイル３４ｃに追加する。
【００６８】
アプリケーションインストール部２５は、端末装置１＿未インストールアプリケーションのアイコンが指定されたことを示すアイコン指定信号に基づいて、該アイコン指定信号で示される指定されたアイコンに対応する端末装置１＿未インストールアプリケーションのインストール処理を実行する。このインストール処理では、実際のインストールの前に、端末装置１＿未インストールアプリケーションの取得を行う。具体的には、アプリケーションインストール部２５は、アイコン指定信号に基づいて、未インストールアプリケーション取得先情報ファイル３４ｃから、該当する端末装置１＿未インストールアプリケーション＿アプリケーションＩＤの組のアプリケーション取得リンク先情報を読み出す。次いで、アプリケーションインストール部２５は、該読み出したアプリケーション取得リンク先情報を使用して、アプリケーションの取得先に対して端末装置１＿未インストールアプリケーションの取得要求を行う。アプリケーションインストール部２５は、該取得要求により取得した端末装置１＿未インストールアプリケーションのインストール処理を実行する。
【００６９】
アプリケーションインストール部２５は、該インストール処理の完了後に、インストール済みアプリケーション情報ファイル３４ａに対して、該端末装置１＿未インストールアプリケーションのアプリケーションＩＤ（端末装置１＿未インストールアプリケーション＿アプリケーションＩＤ）を追加する。
【００７０】
対象未インストールアプリケーションのアイコンが利用者の操作によって指定された場合には、対象未インストールアプリケーションのアイコンが指定されたことを示すアイコン指定信号が発生される。アプリケーションインストール部２５は、該アイコン指定信号に基づいて、該アイコン指定信号で示される指定されたアイコンに対応する対象未インストールアプリケーションのインストール処理を実行する。アプリケーションインストール部２５は、該インストール処理の完了後に、インストール済みアプリケーション情報ファイル３４ａに対して、該対象未インストールアプリケーションのアプリケーションＩＤ（対象アプリケーションＩＤ）を追加する。
【００７１】
一方、ホーム画面構成部２１は、第１アプリケーション提供サーバ４から受信したアプリケーション情報の供給可否情報が供給否情報である場合、供給否情報の内容に応じた処理を実行する。
【００７２】
（供給否情報の例１の場合）
供給否情報の例１は、第１アプリケーション提供サーバ４が対象未インストールアプリケーションを提供していないことを示す。ホーム画面構成部２１は、第１アプリケーション提供サーバ４から受信した供給可否情報が供給否情報の例１である場合、該対象未インストールアプリケーションのアプリケーションＩＤ（対象アプリケーションＩＤ）に対してアプリケーション取得リンク先情報を関連付ける。このアプリケーション取得リンク先情報は、第２アプリケーション提供サーバ５における対象未インストールアプリケーションの取得先のＵＲＬである。ホーム画面構成部２１は、該アプリケーション取得リンク先情報と該対象未インストールアプリケーションの組を未インストールアプリケーション取得先情報ファイル３４ｃに追加する。
【００７３】
対象未インストールアプリケーションのアイコンが利用者の操作によって指定された場合には、上述したように、アプリケーションインストール部２５が、該対象未インストールアプリケーションのアイコンが指定されたことを示すアイコン指定信号に基づいて、該対象未インストールアプリケーションのインストール処理を実行する。アプリケーションインストール部２５は、該インストール処理の完了後に、インストール済みアプリケーション情報ファイル３４ａに対して、該対象未インストールアプリケーションのアプリケーションＩＤ（対象アプリケーションＩＤ）を追加する。
【００７４】
また、ホーム画面構成部２１は、第２アプリケーション提供サーバ５から対象未インストールアプリケーションを取得できなかった場合、該対象未インストールアプリケーションのアプリケーションＩＤ（対象アプリケーションＩＤ）と制限有りフラグ「オン」の組を未インストールアプリケーション制限情報ファイル３４ｂに追加する。
【００７５】
（供給否情報の例２〜例４の場合）
供給否情報の例２〜例４の場合は、上述の対処方法の例１と同じである。
【００７６】
以上が対処方法の例２の説明である。
【００７７】
なお、上述の対処方法の例１と例２を組み合わせてもよい。例えば、第１アプリケーション提供サーバ４から受信した供給可否情報が対象未インストールアプリケーションの供給可能を示す場合には、上述の対処方法の例１により、該対象未インストールアプリケーションを自動で取得する。一方、第１アプリケーション提供サーバ４から受信した供給可否情報が供給否情報の例１の場合には、上述の対処方法の例２により、利用者の操作に応じて該対象未インストールアプリケーションの取得を実行する。
【００７８】
以上がステップＳ１３の対処方法の例の説明である。
説明を図８に戻す。
【００７９】
（ステップＳ１４）ホーム画面構成部２１は、アイコンを配置したホーム画面を構成する。このホーム画面の構成では、ホーム画面構成部２１は、ホーム画面構成情報記録データ４０に含まれる各アプリケーションのアイコンのアイコン位置情報に基づいて、各アプリケーションのアイコンを該アイコン位置情報で示される位置に配置したホーム画面を構成する。以下に、ホーム画面構成方法の例を説明する。
【００８０】
（ホーム画面構成方法の例１）
ホーム画面構成部２１は、ホーム画面構成情報記録データ４０に含まれる各アプリケーションのアイコンのアイコン位置情報に基づいて、端末装置１＿未インストールアプリケーションのアイコンを、当該端末装置１＿未インストールアプリケーションに対応付けられている該アイコン位置情報で示される位置に配置したホーム画面を構成する。
【００８１】
端末装置１＿未インストールアプリケーションは端末装置１にインストールされていないので、同じアプリケーションが元端末装置にインストールされていて該アプリケーションのアイコンが元端末装置のホーム画面１１０に配置されていても、従来は該アプリケーションのアイコンを配置したホーム画面を復元することができなかった。しかし、本ホーム画面構成方法の例１によれば、元端末装置のホーム画面１１０に配置されていた端末装置１＿未インストールアプリケーションのアイコンを配置したホーム画面を、端末装置１で復元することができる。
【００８２】
なお、ホーム画面構成部２１は、端末装置１＿インストール済みアプリケーションのアイコンと、端末装置１＿未インストールアプリケーションのアイコンとで異なる表示方法にしてもよい。また、ホーム画面構成部２１は、端末装置１＿未インストールアプリケーションのうち、端末装置１に対してインストールが制限されていないアプリケーションと制限されているアプリケーションとで、アイコンの表示方法を異なるようにしてもよい。インストールが制限されているアプリケーションは、上述の供給否情報の例２、例３、及び例４に相当するアプリケーションである。以下、アイコン表示方法の例を説明する。
【００８３】
例えば、アイコンの表示態様を異なるようにしてもよい。アイコンの表示態様には、アイコンの画像の透過度、アイコンの画像の形状、及び、アイコンの画像の色が含まれる。例えば、端末装置１＿インストール済みアプリケーションのアイコンと、端末装置１＿未インストールアプリケーションのアイコンとで、アイコンの画像の透過度を変えてもよい。例えば、端末装置１＿インストール済みアプリケーションのアイコンの画像の透過度よりも、端末装置１＿未インストールアプリケーションのアイコンの画像の透過度を高くしてもよい。例えば、端末装置１＿インストール済みアプリケーションのアイコンの画像の透過度を０（透過なし）とし、端末装置１＿未インストールアプリケーションのアイコンの画像の透過度をそれよりも高い値例えば５０％にしてもよい。透過度が高いアイコンは見え難くなるので、利用者に対して、該アイコンのアプリケーションが端末装置１＿未インストールアプリケーションであることを認識し易くできる。
【００８４】
さらに、端末装置１＿未インストールアプリケーションのうち、端末装置１に対してインストールが制限されていないアプリケーションのアイコンと制限されているアプリケーションのアイコンとで、アイコンの画像の透過度を変えてもよい。例えば、端末装置１＿未インストールアプリケーションのうち、端末装置１に対してインストールが制限されていないアプリケーションのアイコンの画像の透過度よりも、制限されているアプリケーションのアイコンの画像の透過度を高くしてもよい。例えば、端末装置１＿インストール済みアプリケーションのアイコンの画像の透過度を０（透過なし）とし、端末装置１＿未インストールアプリケーションのうち、端末装置１に対してインストールが制限されていないアプリケーションのアイコンの画像の透過度をそれよりも高い値例えば５０％にし、制限されているアプリケーションのアイコンの画像の透過度をそれよりもさらに高い値例えば７５％にしてもよい。透過度が高いアイコンは見え難くなるので、利用者に対して、該アイコンのアプリケーションが端末装置１＿未インストールアプリケーションであること、さらにはインストールが制限されているアプリケーションであることを認識し易くできる。
【００８５】
また、端末装置１＿未インストールアプリケーションの種類に基づいて、アイコンの表示態様を変更してもよい。例えば、端末装置１に対してインストールが制限されているアプリケーションのうち、アプリケーションの使用権を取得すれば該制限が解除されるアプリケーションについては、アイコンの画像の透過度を高くする対象から除外してもよい。又は、アプリケーションの使用権を取得すれば該制限が解除されるアプリケーションについては、他の制限されているアプリケーションよりもアイコンの画像の透過度を低くしてもよい。アイコンの画像の透過度が低いアイコンは見え易くなるので、利用者に対して、該アイコンのアプリケーションが端末装置１＿未インストールアプリケーションであること、さらにはアプリケーションの使用権を取得すれば該制限が解除されるアプリケーションであることを認識し易くできる。
【００８６】
例えば、端末装置１＿未インストールアプリケーションのうち、重要なアプリケーションについては、アイコンの画像の透過度を高くする対象から除外してもよい。又は、端末装置１＿未インストールアプリケーションのうち、重要なアプリケーションについては目立つように、他のアプリケーションとは、アイコンの画像の形状、又は、アイコンの画像の色を変更してもよい。例えば、端末装置１＿未インストールアプリケーションのうち、重要なアプリケーションについては、アイコンの画像の透過度を例えば０（透過なし）とし、さらにはアイコンの画像の形状、又は、アイコンの画像の色を目立つ様に他のアイコンとは変更してもよい。重要なアプリケーションに対するそれらのアイコンの表示態様によれば、利用者に対して、該アイコンのアプリケーションが端末装置１＿未インストールアプリケーションであって重要なアプリケーションであることを認識し易くできる。重要なアプリケーションとして、例えば、災害時等に使用される緊急性の高いアプリケーションが挙げられる。
【００８７】
また、表示制御部２６は、端末装置１＿未インストールアプリケーションのアイコンがホーム画面に表示されてからの時間経過に基づいて、アイコンの表示態様を変更してもよい。例えば、端末装置１＿未インストールアプリケーションのアイコンの画像の透過度を、該アイコンがホーム画面に配置されてからの時間経過に伴って段階的に高くしたり又は低くしたりしてもよい。
【００８８】
例えば、端末装置１＿未インストールアプリケーションのうち、重要なアプリケーションについては、アイコンがホーム画面に配置されてから一定の時間が経過したら、該アイコンが目立つ様にアイコンの表示態様を変更してもよい。例えば、端末装置１＿未インストールアプリケーションのうち重要なアプリケーションのアイコンがホーム画面に配置されてから一定の時間が経過したら、該アイコンの画像の透過度をより低い値例えば０（透過なし）に変更してもよい。さらにはアイコンの画像の形状、又は、アイコンの画像の色を目立つ様に変更してもよい。
【００８９】
以上がホーム画面構成方法の例１の説明である。
【００９０】
（ホーム画面構成方法の例２）
ホーム画面構成部２１は、ホーム画面構成情報記録データ４０にアイコン位置情報が存在するアイコンであって端末装置１で起動することが制限されたアプリケーションのアイコンである第１のアイコンと端末装置１＿インストール済みアプリケーションのアイコンであってホーム画面構成情報記録データ４０にアイコン位置情報が存在しないアイコンである第２のアイコンを対応付けた第３のアイコンをさらに配置したホーム画面を構成する。
【００９１】
未インストールアプリケーション制限情報ファイル３４ｂにおいて制限有りフラグ「オン」の組の端末装置１＿未インストールアプリケーション＿アプリケーションＩＤに対応する端末装置１＿未インストールアプリケーションは、端末装置１で起動することが制限されたアプリケーションである。ホーム画面構成部２１は、未インストールアプリケーション制限情報ファイル３４ｂにおいて制限有りフラグ「オン」の組の端末装置１＿未インストールアプリケーション＿アプリケーションＩＤのアイコンを、第１のアイコンであると判断する。
【００９２】
ホーム画面構成部２１は、インストール済みアプリケーション情報ファイル３４ａに含まれる端末装置１＿インストール済みアプリケーション＿アプリケーションＩＤのうち、ホーム画面構成情報記録データ４０にアイコン位置情報が存在しないアプリケーションＩＤのアイコンを、第２のアイコンであると判断する。
【００９３】
本実施形態では、第３のアイコンの例として、フォルダのアイコンを使用する。ここでは、説明の便宜上、第３のアイコンが示すフォルダの名称を「その他フォルダ」とする。ホーム画面構成部２１は、第１のアイコンと第２のアイコンをその他フォルダのアイコンに対応付ける。例えば、第１のアイコンと第２のアイコンがその他フォルダに格納されてもよい。ホーム画面構成部２１は、その他フォルダのアイコンをホーム画面に配置する。第１のアイコンと第２のアイコンがその他フォルダに格納された場合、表示制御部２６は、その他フォルダのアイコンが指定されたことを示すアイコン指定信号に基づいて、その他フォルダに格納されている第１のアイコンと第２のアイコンを、表示部１５の表示画面に表示させる。
【００９４】
以上がホーム画面構成方法の例２の説明である。
【００９５】
（ホーム画面構成方法の例３）
ホーム画面構成部２１は、ホーム画面構成情報記録データ４０にアイコン位置情報が存在するアイコンに対応付けられているアプリケーションであって端末装置１で起動することが制限された第１のアプリケーションの機能と類似した機能を有する端末装置１で起動することが可能な第２のアプリケーションのアイコンを、該第１のアプリケーションのアイコンのアイコン位置情報で示される位置に配置する。
【００９６】
未インストールアプリケーション制限情報ファイル３４ｂにおいて制限有りフラグ「オン」の組の端末装置１＿未インストールアプリケーション＿アプリケーションＩＤに対応する端末装置１＿未インストールアプリケーションは、端末装置１で起動することが制限された第１のアプリケーションである。ホーム画面構成部２１は、未インストールアプリケーション制限情報ファイル３４ｂにおいて制限有りフラグ「オン」の組の端末装置１＿未インストールアプリケーション＿アプリケーションＩＤを、第１のアプリケーションのアプリケーションＩＤであると判断する。
【００９７】
本実施形態では、図９に例示されるように、インストール済みアプリケーション情報ファイル３４ａは、端末装置１＿インストール済みアプリケーション＿アプリケーションＩＤに関連付けて類似機能アプリケーションＩＤを格納する。類似機能アプリケーションＩＤは、該類似機能アプリケーションＩＤに関連付けられている端末装置１＿インストール済みアプリケーション＿アプリケーションＩＤの端末装置１＿インストール済みアプリケーションの機能と類似した機能を有するアプリケーションのアプリケーションＩＤである。なお、インストール済みアプリケーション情報ファイル３４ａに含まれる端末装置１＿インストール済みアプリケーション＿アプリケーションＩＤの中には、類似機能アプリケーションＩＤが関連付けられていないものが存在してもよい。
【００９８】
ホーム画面構成部２１は、インストール済みアプリケーション情報ファイル３４ａに含まれる類似機能アプリケーションＩＤの中に、第１のアプリケーションのアプリケーションＩＤと一致する類似機能アプリケーションＩＤが存在するかを調べる。この結果、第１のアプリケーションのアプリケーションＩＤと一致する類似機能アプリケーションＩＤが存在する場合、ホーム画面構成部２１は、該一致する類似機能アプリケーションＩＤに関連付けられている端末装置１＿インストール済みアプリケーション＿アプリケーションＩＤを、該第１のアプリケーションに対応する第２のアプリケーションのアプリケーションＩＤであると判断する。これにより、ホーム画面構成部２１は、第１のアプリケーションに対応する第２のアプリケーションを認識する。
【００９９】
ホーム画面構成部２１は、ホーム画面において、第２のアプリケーションのアイコンを、該第２のアプリケーションに対応する第１のアプリケーションのアイコンのアイコン位置情報で示される位置に配置する。
【０１００】
第１のアプリケーションと第２のアプリケーションの例として、上述の供給否情報の例４に該当するアプリケーションが挙げられる。例えば、Ａ社製の各端末装置にプリインストールされる時計機能を有する第１の時計アプリケーションは、Ａ社製の元端末装置では動作するが、Ａ社以外の他社であるＢ社製の端末装置１では動作しない場合がある。一方、Ｂ社製の端末装置１には、時計機能を有するアプリケーションとして、Ｂ社製の端末装置１で動作する第２の時計アプリケーションがプリインストールされる。第１の時計アプリケーションと第２の時計アプリケーションは、アプリケーションＩＤが異なるが、共に同じ時計機能を有する。本実施形態によれば、端末装置１のホーム画面において、元端末装置のホーム画面１１０で第１の時計アプリケーションのアイコンが配置されていた位置に、第２の時計アプリケーションのアイコンを配置することができる。これにより、利用者は、元端末装置のホーム画面１１０で第１の時計アプリケーションのアイコンを操作してときと同様に、端末装置１のホーム画面に配置された第２の時計アプリケーションのアイコンを操作することができる。
【０１０１】
以上がホーム画面構成方法の例３の説明である。
【０１０２】
なお、未インストールアプリケーション制限情報ファイル３４ｂにおいて制限有りフラグ「オン」の組の端末装置１＿未インストールアプリケーション＿アプリケーションＩＤについては、アイコンを、当該アイコンを削除する機能を実行させるアイコンにしてもよい。但し、未インストールアプリケーション制限情報ファイル３４ｂにおいて制限有りフラグ「オン」の組の端末装置１＿未インストールアプリケーション＿アプリケーションＩＤのうち供給否情報の例３に該当するアプリケーションＩＤについては、対象未インストールアプリケーションの供給が制限されている理由が、アプリケーションの使用権が無いことである場合、該使用権を取得する機能を実行させるアイコンにしてもよい。
【０１０３】
また、未インストールアプリケーション制限情報ファイル３４ｂにおいて制限有りフラグ「オン」の組の端末装置１＿未インストールアプリケーション＿アプリケーションＩＤについては、全てのアイコンを一括消去する機能を実行させるアイコン、又は、利用者の操作に応じて選択的にアイコンを消去する機能を実行させるアイコンをホーム画面に配置してもよい。但し、未インストールアプリケーション制限情報ファイル３４ｂにおいて制限有りフラグ「オン」の組の端末装置１＿未インストールアプリケーション＿アプリケーションＩＤのうち供給否情報の例３に該当するアプリケーションＩＤについては、対象未インストールアプリケーションの供給が制限されている理由が、アプリケーションの使用権が無いことである場合、アイコン消去対象から除外してもよい。
【０１０４】
図１２は、本実施形態に係るホーム画面の復元の例の説明図である。図１２において、端末装置１の表示部１５は表示画面２００を備える。表示画面２００は、例えばタッチパネルの表示画面である。表示画面２００には、ホーム画面２１０が表示される。ホーム画面２１０は、一つ又は複数の画面から構成される。ホーム画面２１０が複数の画面から構成される場合、ホーム画面２１０を構成する各画面は、画面スクロールによって、表示画面２００に表示される。ホーム画面２１０にはアイコンＧが配置される。なお、図１２中のアイコンＧの中には、説明の便宜上、該アイコンＧのアプリケーションのアプリケーションＩＤを記している。
【０１０５】
元端末装置のホーム画面構成情報記録データ４０が記録され、該ホーム画面構成情報記録データ４０が端末装置１に取得された。該ホーム画面構成情報記録データ４０は、図１２に示される元端末装置のホーム画面１１０の画面構成情報の記録データである。図１２に示される元端末装置のホーム画面１１０には、６個のアイコンＧが配置されている。該６個のアイコンＧのアプリケーションＩＤは、ＩＤ＿１〜６である。
【０１０６】
端末装置１は、取得したホーム画面構成情報記録データ４０に基づいて、ホーム画面２１０を構成する。この結果として、図１２に示されるホーム画面２１０が構成された。元端末装置のホーム画面１１０に配置されていたＩＤ＿１及びＩＤ＿２のアイコンＧのアプリケーションは、ホーム画面構成情報記録データ４０に基づいたホーム画面２１０の構成前に既に端末装置１にインストールされていた端末装置１＿インストール済みアプリケーションである。このため、図１２に示すホーム画面２１０において、ＩＤ＿１及びＩＤ＿２のアイコンＧは、元端末装置のホーム画面１１０における位置に対応する位置に、画像の透過度が０（透過なし）で配置された。ＩＤ＿１のアイコンＧは、ＩＤ＿１のアプリケーションを起動する機能を実行させるアイコンである。ＩＤ＿２のアイコンＧは、ＩＤ＿２のアプリケーションを起動する機能を実行させるアイコンである。
【０１０７】
元端末装置のホーム画面１１０に配置されていたＩＤ＿３のアイコンＧのアプリケーションは、ホーム画面構成情報記録データ４０に基づいたホーム画面２１０の構成時において、端末装置１にインストールされていない端末装置１＿未インストールアプリケーションであった。このため、端末装置１は、ＩＤ＿３のアプリケーションの取得を試みた。この結果、端末装置１は、ＩＤ＿３のアプリケーションを第１アプリケーション提供サーバ４から取得し、ＩＤ＿３のアプリケーションをインストールした。これにより、図１２に示すホーム画面２１０において、ＩＤ＿３のアイコンＧは、元端末装置のホーム画面１１０における位置に対応する位置に、画像の透過度が０（透過なし）で配置された。ＩＤ＿３のアイコンＧは、ＩＤ＿３のアプリケーションを起動する機能を実行させるアイコンである。
【０１０８】
元端末装置のホーム画面１１０に配置されていたＩＤ＿４のアイコンＧのアプリケーションは、ホーム画面構成情報記録データ４０に基づいたホーム画面２１０の構成時において、端末装置１にインストールされていない端末装置１＿未インストールアプリケーションであった。このため、端末装置１は、ＩＤ＿４のアプリケーションの取得を試みた。この結果、端末装置１は、ＩＤ＿４のアプリケーションを第１アプリケーション提供サーバ４から取得できなかった。これにより、図１２に示すホーム画面２１０において、ＩＤ＿４のアイコンＧは、元端末装置のホーム画面１１０における位置に対応する位置に、画像の透過度が５０％で配置された。ＩＤ＿４のアイコンＧは、ＩＤ＿４のアプリケーションをインストールする機能を実行させるアイコンである。ＩＤ＿４のアイコンＧには、第２アプリケーション提供サーバ５におけるＩＤ＿４のアプリケーションの取得先のＵＲＬが関連付けられている。なお、ＩＤ＿４のアプリケーションが未インストールアプリケーションである場合には、端末装置１は、図６に示すアイコン画像データを用いて、アイコンＧを配置する。
【０１０９】
元端末装置のホーム画面１１０に配置されていたＩＤ＿５のアイコンＧのアプリケーションは、端末装置１では動作しない時計アプリケーションであった。但し、端末装置１には、ＩＤ＿５の時計アプリケーションとは異なるＩＤ１１の時計アプリケーションがインストールされていた。これにより、図１２に示すホーム画面２１０において、ＩＤ＿１１の時計アプリケーションのアイコンＧは、元端末装置のホーム画面１１０におけるＩＤ＿５の時計アプリケーションのアイコンＧの位置に対応する位置に、画像の透過度が０（透過なし）で配置された。ＩＤ＿１１のアイコンＧは、ＩＤ＿１１の時計アプリケーションを起動する機能を実行させるアイコンである。
【０１１０】
元端末装置のホーム画面１１０に配置されていたＩＤ＿６のアイコンＧのアプリケーションは、端末装置１で起動することが制限されたアプリケーションであった。このため、ＩＤ＿６のアイコンＧはその他フォルダに格納された。図１２に示すホーム画面２１０には、その他フォルダのアイコンＧが配置された。
【０１１１】
端末装置１＿インストール済みアプリケーションのうちＩＤ＿１２のアプリケーションは、ホーム画面構成情報記録データ４０の中にアイコン位置情報が無かった。このため、ＩＤ＿１２のアイコンＧはその他フォルダに格納された。図１２に示すホーム画面２１０には、その他フォルダのアイコンＧが配置された。
【０１１２】
上述した実施形態によれば、元端末装置のホーム画面１１０と見た目に類似するホーム画面２１０を端末装置１で復元することができる。これにより、端末装置１に表示されるホーム画面を復元する際に復元感の向上を図る効果が得られる。また、利用者が、例えば機種変更後の端末装置１のホーム画面に違和感を覚えたり、又は、機種変更後の端末装置１に慣れるまでに時間が掛ったりすることを防いだりする効果が得られる。
【０１１３】
以上、本発明の実施形態について図面を参照して詳述してきたが、具体的な構成はこの実施形態に限られるものではなく、本発明の要旨を逸脱しない範囲の設計変更等も含まれる。
【０１１４】
例えば、上述の実施形態では、端末装置１は、無線通信ネットワーク２を介して他の装置と通信を行うが、これに限定されない。端末装置１は、無線又は有線の通信ネットワークを介して他の装置と通信を行うものであってもよい。この場合、端末装置１は、無線又は有線の通信ネットワークを介して、利用者情報管理サーバ３、第１アプリケーション提供サーバ４及び第２アプリケーション提供サーバ５にアクセスする。
【０１１５】
また、上述の実施形態では、ホーム画面構成情報記録データ４０はアイコン画像データを含むが、アイコン画像データをホーム画面構成情報記録データ４０に含めず、端末装置１がアプリケーションＩＤに基づいてアイコン画像データを取得してもよい。例えば、端末装置１は、第１アプリケーション提供サーバ４又は第２アプリケーション提供サーバ５からアイコン画像データを取得してもよい。又は、端末装置１が、予め、アイコン画像データを初期データファイルに保持してもよい。
【０１１６】
また、上述した端末装置１の機能を実現するためのコンピュータプログラムをコンピュータ読み取り可能な記録媒体に記録して、この記録媒体に記録されたプログラムをコンピュータシステムに読み込ませ、実行するようにしてもよい。なお、ここでいう「コンピュータシステム」とは、ＯＳや周辺機器等のハードウェアを含むものであってもよい。
また、「コンピュータ読み取り可能な記録媒体」とは、フレキシブルディスク、光磁気ディスク、ＲＯＭ、フラッシュメモリ等の書き込み可能な不揮発性メモリ、ＤＶＤ（Digital Versatile Disk）等の可搬媒体、コンピュータシステムに内蔵されるハードディスク等の記憶装置のことをいう。
【０１１７】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。
さらに、前述した機能をコンピュータシステムにすでに記録されているプログラムとの組み合わせで実現できるもの、いわゆる差分ファイル（差分プログラム）であっても良い。
【符号の説明】
【０１１８】
１…端末装置、２…無線通信ネットワーク、３…利用者情報管理サーバ、４…第１アプリケーション提供サーバ、５…第２アプリケーション提供サーバ、６…インターネット、１１…制御部、１２…記憶部、１３…通信部、１４…操作部、１５…表示部、１６…接続部、１７…記録媒体、２０…ホーム画面復元部、２１…ホーム画面構成部、２２…記録データ取得部、２３…記録データ記憶制御部、２４…アプリケーション起動部、２５…アプリケーションインストール部、２６…表示制御部、３１…ＯＳ、３２…制御プログラム、３３…アプリケーションプログラム、３３ａ…ホーム画面復元アプリケーション、３３ｂ…記録データ記憶制御アプリケーション、３４…データファイル、３４ａ…インストール済みアプリケーション情報ファイル、３４ｂ…未インストールアプリケーション制限情報ファイル、３４ｃ…未インストールアプリケーション取得先情報ファイル、４０…ホーム画面構成情報記録データ、１００，２００…表示画面、１１０，２１０…ホーム画面、Ｇ…アイコン
【図１】
0006300972.tif 000002
【図２】
0006300972.tif 000003
【図３】
0006300972.tif 000004
【図４】
0006300972.tif 000005
【図５】
0006300972.tif 000006
【図６】
0006300972.tif 000007
【図７】
0006300972.tif 000008
【図８】
0006300972.tif 000009
【図９】
0006300972.tif 000010
【図１０】
0006300972.tif 000011
【図１１】
0006300972.tif 000012
【図１２】
0006300972.tif 000013